(57)【要約】【課題】異物による電線の損傷を防ぐことができる電線収容チューブ保持部材を提供すること。【解決手段】電線Ｗが収容される別体の電線収容チューブ１００Ａ，１００Ｂを連結するために電線収容チューブ１００Ａ，１００Ｂを保持し、かつ排水口１０を有してなる電線収容チューブ保持部材１において、排水口１０に管開口２１ａが連通される管であり、排水口１０から下方に突出されてなる下方突出排水管部２０と、下方突出排水管部２０の先端部２０ａに連接され、下方突出排水管部２０の先端部２０ａ側の管開口２１ｂの近傍、かつ管開口２１ｂの下方位置に下方突出排水管部２０の下方から下方突出排水管部２０内への異物の侵入を防止可能に水平方向に広がる壁面４０ａが形成されてなる水平方向壁４０を含んでなる異物侵入防止壁部３０と、を有してなる。【選択図】図３
2014107960.tif 000002
【特許請求の範囲】
【請求項１】
電線が収容される電線収容チューブを電線の配索経路に沿って固定させるため、あるいは別体の前記電線収容チューブを連結するために前記電線収容チューブを保持し、かつ前記電線収容チューブとの嵌合面の下部から外部に向けて貫通された排水口を有してなる電線収容チューブ保持部材において、
前記排水口に管開口が連通される管であり、前記排水口から下方に突出されてなる下方突出排水管部と、
前記下方突出排水管部の先端部に連接され、前記下方突出排水管部の前記先端部側の管開口の近傍、かつ該管開口の下方位置に前記下方突出排水管部の下方から前記下方突出排水管部内への異物の侵入を防止可能に水平方向に広がる壁面が形成されてなる水平方向壁を含んでなる異物侵入防止壁部と、
を有してなることを特徴とする電線収容チューブ保持部材。
【請求項２】
前記下方突出排水管部は、
前記排水口から垂直下方に突出されてから水平方向に屈曲されるように形成されてなり、
前記水平方向壁は、
前記下方突出排水管部の軸に直交する方向の幅が該下方突出排水管部の管外径に比して大きい幅に設定されてなることを特徴とする請求項１に記載の電線収容チューブ保持部材。
【請求項３】
前記下方突出排水管部は、
前記排水口から垂直下方に突出されてなり、
前記水平方向壁は、
前記先端部側の管開口の垂直下方から視て前記先端部側の管開口全域に重なるように形成されてなることを特徴とする請求項１に記載の電線収容チューブ保持部材。
【請求項４】
当該電線収容チューブ保持部材が、
別体の前記電線収容チューブ同士を連結する場合、連結される２つの前記電線収容チューブの合わせ目の近傍に前記排水口が設けられてなることを特徴とする請求項１、２、または３に記載の電線収容チューブ保持部材。
【発明の詳細な説明】
【技術分野】
【０００１】
本発明は、電線が収容される電線収容チューブを保持する電線収容チューブ保持部材に関する。
【背景技術】
【０００２】
従来、自動車に配索されるワイヤーハーネス等の電線が収容される電線収容チューブを電線の配索経路に沿って固定させるため、あるいは別体の電線収容チューブ同士を連結するために電線収容チューブを保持する電線収容チューブ保持部材が用いられる。このような電線収容チューブ保持部材は、電線収容チューブ保持部材内に侵入した水によって漏電が発生することを防止する必要がある。例えば、特許文献１には、排水口を有するシールドパイプ用クランプ（電線収容チューブ保持部材）が記載されている。
【０００３】
特許文献１に記載された電線収容チューブ保持部材は、電線収容チューブとの嵌合面の下部から外部に向けて貫通されてなる排水口を有し、この排水口から電線収容チューブ保持部材内に侵入した水が排出されるようになっている。
【先行技術文献】
【特許文献】
【０００４】
【特許文献１】特開２０１０−２１５０１０号公報
【発明の概要】
【発明が解決しようとする課題】
【０００５】
しかしながら、特許文献１に記載された電線収容チューブ保持部材は、電線収容チューブ保持部材が車体の床下に配置された場合、路面等から跳ね上がった砂利等の異物が排水口から電線収容チューブ保持部材内に侵入し、この侵入した異物が電線の絶縁被覆部に繰り返し擦れた場合、絶縁被覆部が損傷されることによってショート不良を発生させるおそれがあった。
【０００６】
本発明は、上記に鑑みてなされたものであって、異物による電線の損傷を防ぐことができる電線収容チューブ保持部材を提供することを目的とする。
【課題を解決するための手段】
【０００７】
上述した課題を解決し、目的を達成するために、本発明の請求項１に係る電線収容チューブ保持部材は、電線が収容される電線収容チューブを電線の配索経路に沿って固定させるため、あるいは別体の前記電線収容チューブを連結するために前記電線収容チューブを保持し、かつ前記電線収容チューブとの嵌合面の下部から外部に向けて貫通された排水口を有してなる電線収容チューブ保持部材において、前記排水口に管開口が連通される管であり、前記排水口から下方に突出されてなる下方突出排水管部と、前記下方突出排水管部の先端部に連接され、前記下方突出排水管部の前記先端部側の管開口の近傍、かつ該管開口の下方位置に前記下方突出排水管部の下方から前記下方突出排水管部内への異物の侵入を防止可能に水平方向に広がる壁面が形成されてなる水平方向壁を含んでなる異物侵入防止壁部と、を有してなることを特徴とする。
【０００８】
また、本発明の請求項２に係る電線収容チューブ保持部材は、上記の発明において、前記下方突出排水管部は、前記排水口から垂直下方に突出されてから水平方向に屈曲されるように形成されてなり、前記水平方向壁は、前記下方突出排水管部の軸に直交する方向の幅が該下方突出排水管部の管外径に比して大きい幅に設定されてなることを特徴とする。
【０００９】
また、本発明の請求項３に係る電線収容チューブ保持部材は、上記の発明において、前記下方突出排水管部は、前記排水口から垂直下方に突出されてなり、前記水平方向壁は、前記先端部側の管開口の垂直下方から視て前記先端部側の管開口全域に重なるように形成されてなることを特徴とする。
【００１０】
また、本発明の請求項４に係る電線収容チューブ保持部材は、上記の発明において、当該電線収容チューブ保持部材が、別体の前記電線収容チューブ同士を連結する場合、連結される２つの前記電線収容チューブの合わせ目の近傍に前記排水口が設けられてなることを特徴とする。
【発明の効果】
【００１１】
本発明の請求項１に係る電線収容チューブ保持部材は、当該電線収容チューブ保持部材と前記電線収容チューブとの間に侵入した水、あるいは前記電線収容チューブ内に侵入した水が、前記排水口から前記下方突出排水管部の管孔内に流れ、その後に前記下方突出排水管部の先端部側の管開口から外部に排出されるとともに、前記下方突出排水管部の下方から前記先端部側の管開口に向けて飛んでくる異物が、前記異物侵入防止壁部によって跳ね返されることによって異物が前記下方突出排水管部内、すなわち前記排水口内に侵入されることが防止されるようになっているので、前記電線収容チューブ内への異物の侵入を防ぎ、電線と異物が擦れることが無くなり、結果的に、異物による電線の損傷を防ぐことができる。
【００１２】
本発明の請求項２に係る電線収容チューブ保持部材は、前記下方突出排水管部の先端部が水平方向に向けられるため、下方から前記先端部側の管開口に向けて飛んでくる異物が前記下方突出排水管部内に侵入され難しくなり、しかも、前記水平方向壁が管開口の下方の周辺領域で前記下方突出排水管部の管外径に比して大きい幅で前記下方突出排水管部の軸に直交する方向に広がるため、前記下方突出排水管部の下方から前記先端部側の管開口に向けて飛んでくる異物が前記下方突出排水管部内、すなわち前記排水口内に侵入されることが確実に防止される。
【００１３】
本発明の請求項３に係る電線収容チューブ保持部材は、前記下方突出排水管部の下方から前記先端部側の管開口に向けて飛んでくる異物が、前記異物侵入防止壁部に跳ね返されることによって異物が前記下方突出排水管部内、すなわち前記排水口内に侵入されることが防止されるとともに、前記下方突出排水管部が垂直下方に向いているため、前記排水口から流れた水が前記下方突出排水管部内に滞留され難いため、管開口から効率よく排水することができる。
【００１４】
本発明の請求項４に係る電線収容チューブ保持部材は、水が溜りやすい部分となる２つの前記電線収容チューブの合わせ目の近傍に前記排水口が設けられるため、排水性を高めることができる。
【図面の簡単な説明】
【００１５】
【図１】図１は、本発明の実施例に係る電線収容チューブ保持部材の斜視図である。
【図２】図２は、図１に示した電線収容チューブ保持部材の側面図および下方突出排水管部の管開口側から視た正面図である。
【図３】図３は、図１に示した電線収容チューブ保持部材のＡ−Ａ線断面図である。
【図４】図４は、電線収容チューブ保持部材内から外部に排水される水の流れと、下方突出排水管部の下方から管開口に向けて飛んでくる異物が異物侵入防止壁部によって跳ね返される動作を説明するための図である。
【図５】図５は、本発明の実施例に係る電線収容チューブ保持部材の変形例１の電線収容チューブ保持部材の断面図である。
【図６】図６は、電線収容チューブ保持部材内から外部に排水される水の流れと、下方突出排水管部の下方から管開口に向けて飛んでくる異物が異物侵入防止壁部によって跳ね返される動作を説明するための図である。
【図７】図７は、本発明の実施例に係る電線収容チューブ保持部材の変形例２の電線収容チューブ保持部材の断面図である。
【図８】図８は、本発明の実施例に係る電線収容チューブ保持部材の変形例３の電線収容チューブ保持部材の異物侵入防止壁部周辺を示した図である。
【発明を実施するための形態】
【００１６】
以下、図面を参照して、本発明に係る電線収容チューブ保持部材の好適な実施例を詳細に説明する。
図１は、本発明の実施例に係る電線収容チューブ保持部材１の斜視図である。
なお、図１は、電線収容チューブ保持部材１を斜め下方から視た図である。
図２は、図１に示した電線収容チューブ保持部材１の側面図および下方突出排水管部２０の管開口２１ｂ側から視た正面図である。
図３は、図１に示した電線収容チューブ保持部材１のＡ−Ａ線断面図である。
なお、図３は、電線収容チューブ保持部材１によって連結される２本の電線収容チューブ１００Ａ，１００Ｂを一点鎖線にて示している。
図４は、電線収容チューブ保持部材１内から外部に排水される水の流れと、下方突出排水管部２０の下方から管開口２１ｂに向けて飛んでくる異物が異物侵入防止壁部によって跳ね返される動作を説明するための図である。
【００１７】
本発明の実施例に係る電線収容チューブ保持部材１は、図３に示すように、自動車に配索されるワイヤーハーネス等の電線Ｗが収容される別体の電線収容チューブ１００Ａ，１００Ｂを連結するために電線収容チューブ１００Ａ，１００Ｂを保持し、かつ電線収容チューブ１００Ａ，１００Ｂとの嵌合面１２の下部から外部に向けて貫通された排水口１０を有してなる。なお、電線収容チューブ保持部材１は、外径の大きさが異なる２本の電線収容チューブ１００Ａ，１００Ｂを連結するようになっている。
【００１８】
この電線収容チューブ保持部材１は、合成樹脂材によって一体的に形成されてなる筒状部材であり、筒内に２本の電線収容チューブ１００Ａ，１００Ｂの端部が収容されることによって、２本の電線収容チューブ１００Ａ，１００Ｂが連結された状態で保持されるようになっている。
【００１９】
この電線収容チューブ保持部材１は、筒内面が各電線収容チューブ１００Ａ，１００Ｂとの嵌合面１２になっており、この嵌合面１２が外径の大きい側の電線収容チューブ１００Ａ（以下、大径側電線収容チューブという。）が嵌合される面となる大径チューブ嵌合面部１２ａと、外径の小さい側の電線収容チューブ１００Ｂ（以下、小径側電線収容チューブという。）が嵌合される面となる小径チューブ嵌合面部１２ｂとが電線収容チューブ保持部材１の軸方向、略中央位置で段差状に区分されるようになっている。
より具体的には、大径チューブ嵌合面部１２ａは、筒内径が大径側電線収容チューブ１００Ａの外径に比して僅かに大きい径に設定された部分であり、小径チューブ嵌合面部１２ｂは、筒内径が小径側電線収容チューブ１００Ｂの外径に比して僅かに大きい径に設定された部分である。
【００２０】
また、電線収容チューブ保持部材１は、両端の開口内縁面に筒内に向けて鉤状に折り返されてなる鉤状ロック部１１を有し、この鉤状ロック部１１によって筒内に収容された各電線収容チューブ１００Ａ，１００Ｂが筒外に離脱され難いようになっている。
【００２１】
また、電線収容チューブ保持部材１は、電線収容チューブ１００Ａ，１００Ｂとの嵌合面１２の下部から外部に向けて貫通されてなる排水口１０と、排水口１０に管開口２１ａが連通される管であり、排水口１０から下方に突出されてなる下方突出排水管部２０と、下方突出排水管部２０内への異物の侵入を防止する異物侵入防止壁部３０とを有してなる。
【００２２】
排水口１０は、電線収容チューブ保持部材１の筒内に侵入した水を外部に排出するためのものであり、２本の電線収容チューブ１００Ａ，１００Ｂの合わせ目の近傍に設けられている。
【００２３】
下方突出排水管部２０は、排水口１０から垂直下方に突出されてから水平方向に屈曲されるように形成されてなる。このため、先端部２０ａ側の管開口２１ｂは水平方向に向けられるようになっている。
【００２４】
異物侵入防止壁部３０は、下方突出排水管部２０の先端部２０ａに連接され、下方突出排水管部２０の先端部２０ａ側の管開口２１ｂの近傍、かつ管開口２１ｂの下方位置に下方突出排水管部２０の下方から下方突出排水管部２０内への異物の侵入を防止可能に水平方向に広がる壁面４０ａが形成されてなる水平方向壁４０を含んでなる。
より具体的には、異物侵入防止壁部３０は、全体的に板状をなし、下方突出排水管部２０の先端部２０ａの外周面下部２０ｂから垂直下方に延びてから水平方向に向けてほぼ直角に屈曲されてなる。この水平方向に屈曲された壁が水平方向壁４０になっている。
この水平方向壁４０は、下方突出排水管部２０の軸に直交する方向の幅が下方突出排水管部２０の管外径Ｄに比して大きい幅に設定されてなる。
【００２５】
このような電線収容チューブ保持部材１は、図４に示すように、電線収容チューブ保持部材１と電線収容チューブ１００Ａ，１００Ｂとの間に侵入した水（図４中、矢印Ａで示す。）、あるいは各電線収容チューブ１００Ａ，１００Ｂ内に侵入した水（図４中、矢印Ｂで示す。）が、排水口１０から下方突出排水管部２０の管孔２２内を流れ、その後に、先端部２０ａ側の管開口２１ｂから外部に排出されるようになっている。
また、下方突出排水管部２０の下方から管開口２１ｂに向けて飛んでくる異物（図４中、矢印Ｐで示す。）が、下方突出排水管部２０の水平方向に屈曲された部分、あるいは異物侵入防止壁部３０によって跳ね返されることによって異物が下方突出排水管部２０内に侵入されることが防止されるようになっている。
【００２６】
本発明に係る電線収容チューブ保持部材１は、電線収容チューブ保持部材１と電線収容チューブ１００Ａ，１００Ｂとの間に侵入した水、あるいは電線収容チューブ１００Ａ，１００Ｂ内に侵入した水が、排水口１０から下方突出排水管部２０の管孔２２内に流れ、その後に下方突出排水管部２０の先端部２０ａ側の管開口２１ｂから外部に排出されるとともに、下方突出排水管部２０の下方から先端部２０ａ側の管開口２１ｂに向けて飛んでくる異物が、異物侵入防止壁部３０によって跳ね返されることによって異物が下方突出排水管部２０内、すなわち排水口１０内に侵入されることが防止されるようになっているので、電線収容チューブ１００Ａ，１００Ｂ内への異物の侵入を防ぎ、電線Ｗと異物が擦れることが無くなり、結果的に、異物による電線Ｗの損傷を防ぐことができる。
【００２７】
また、本発明に係る電線収容チューブ保持部材１は、下方突出排水管部２０の先端部２０ａが水平方向に向けられるため、下方から先端部２０ａ側の管開口２１ｂに向けて飛んでくる異物が下方突出排水管部２０内に侵入され難しくなり、しかも、水平方向壁４０が管開口２１ｂの下方の周辺領域で下方突出排水管部２０の管外径Ｄに比して大きい幅で下方突出排水管部２０の軸に直交する方向に広がるため、下方突出排水管部２０の下方から先端部２０ａ側の管開口２１ｂに向けて飛んでくる異物が下方突出排水管部２０内、すなわち排水口１０内に侵入されることが確実に防止される。
【００２８】
また、本発明に係る電線収容チューブ保持部材１は、水が溜りやすい部分となる２つの電線収容チューブ１００Ａ，１００Ｂの合わせ目の近傍に排水口１０が設けられるため、排水性を高めることができる。
【００２９】
（変形例１）
ここで、図５および図６を用いて、本発明の実施例に係る電線収容チューブ保持部材１の変形例１について説明する。図５は、本発明の実施例に係る電線収容チューブ保持部材１の変形例１の電線収容チューブ保持部材２の断面図である。図６は、電線収容チューブ保持部材２内から外部に排水される水の流れと、下方突出排水管部５０の下方から管開口５１ｂに向けて飛んでくる異物が異物侵入防止壁部によって跳ね返される動作を説明するための図である。
なお、図５は、電線収容チューブ保持部材２によって連結される２本の電線収容チューブ１００Ａ，１００Ｂを一点鎖線にて示している。
この変形例１の電線収容チューブ保持部材２は、実施例の下方突出排水管部２０に代わって下方突出排水管部５０を有し、異物侵入防止壁部３０に代わって異物侵入防止壁部６０を有してなる点で実施例の電線収容チューブ保持部材１と異なる。
なお、その他の構成は実施例と同様であり、実施例と同一構成部分には同一符号を付している。
【００３０】
下方突出排水管部５０は、排水口１０から垂直下方に突出されてなる。
異物侵入防止壁部６０は、水平方向壁７０が下方突出排水管部５０の先端部５０ａ側の管開口５１ｂの垂直下方から視て管開口５１ｂ全域に重なるように形成されてなる。
より具体的には、異物侵入防止壁部６０は、全体的に板状をなし、下方突出排水管部５０の先端部５０ａの外周面５０ｂから垂直下方に延びてから水平方向に向けてほぼ直角に屈曲されてなる。この水平方向に屈曲された面が水平方向壁７０になっている。
【００３１】
このような電線収容チューブ保持部材２は、図６に示すように、電線収容チューブ保持部材２と電線収容チューブ１００Ａ，１００Ｂとの間に侵入した水（図６中、矢印Ａで示す。）、あるいは各電線収容チューブ１００Ａ，１００Ｂ内に侵入した水（図６中、矢印Ｂで示す。）が、排水口１０から下方突出排水管部５０に排出され、管孔５２内を垂直下降されて流れた後に、先端部５０ａ側の管開口５１ｂから外部に排出されるようになっている。
また、下方突出排水管部５０の下方から管開口５１ｂに向けて飛んでくる異物（図６中、矢印Ｐで示す。）が異物侵入防止壁部６０によって跳ね返されることによって異物が下方突出排水管部５０内に侵入されることが防止されるようになっている。
【００３２】
この変形例１の電線収容チューブ保持部材２は、実施例の電線収容チューブ保持部材１と同様に、下方突出排水管部５０の下方から先端部５０ａ側の管開口５１ｂに向けて飛んでくる異物が、異物侵入防止壁部６０によって跳ね返されることによって異物が下方突出排水管部５０内、すなわち排水口１０内に侵入されることが防止されるようになっているので、電線収容チューブ１００Ａ，１００Ｂ内への異物の侵入を防ぎ、電線Ｗと異物が擦れることが無くなり、結果的に、異物による電線Ｗの損傷を防ぐことができる。
また、下方突出排水管部５０が垂直下方に向いているため、排水口１０から流れた水が下方突出排水管部５０内に滞留され難いため、管開口５１ｂから効率よく排水することができる。
【００３３】
（変形例２）
ここで、図７を用いて、本発明の実施例に係る電線収容チューブ保持部材１の変形例２について説明する。図７は、本発明の実施例に係る電線収容チューブ保持部材１の変形例２の電線収容チューブ保持部材３の断面図である。
なお、図７は、電線収容チューブ保持部材３によって保持される電線収容チューブ１００を一点鎖線にて示している。
この変形例２の電線収容チューブ保持部材３は、電線収容チューブ１００を電線Ｗの配索経路に沿って固定させるためのものである点で実施例の電線収容チューブ保持部材１と異なる。
なお、その他の構成は実施例と同様であり、実施例と同一構成部分には同一符号を付している。
【００３４】
電線収容チューブ保持部材３は、実施例の電線収容チューブ保持部材１と同様に、電線収容チューブ１００との嵌合面の下部から外部に向けて貫通されてなる排水口１０と、排水口１０に管開口２１ａが連通される管であり、排水口１０から下方に突出されてなる下方突出排水管部２０と、下方突出排水管部２０の先端部２０ａに連接され、下方突出排水管部２０の先端部２０ａ側の管開口２１ｂの近傍、かつ管開口２１ｂの下方位置に下方突出排水管部２０の下方から下方突出排水管部２０内への異物の侵入を防止可能に水平方向に広がる壁面が形成されてなる水平方向壁４０を含んでなる異物侵入防止壁部３０と、を有してなる。
なお、この電線収容チューブ保持部材３は、支持固定部３ａを有してなり、この支持固定部３ａを介して、自動車の車体等の取り付け先に固定されるようになっている。
【００３５】
この変形例２の電線収容チューブ保持部材３は、電線収容チューブ１００Ａ，１００Ｂの連結に関する効果を除いて、実施例の電線収容チューブ保持部材１と同様な効果を奏することができる。
【００３６】
（変形例３）
ここで、図８を用いて、本発明の実施例に係る電線収容チューブ保持部材１の変形例３について説明する。図８は、本発明の実施例に係る電線収容チューブ保持部材１の変形例３の電線収容チューブ保持部材４の異物侵入防止壁部８０周辺を示した図である。
この変形例３の電線収容チューブ保持部材４は、実施例の異物侵入防止壁部３０に代わって異物侵入防止壁部８０を有してなる点で実施例の電線収容チューブ保持部材１と異なる。
なお、その他の構成は実施例と同様であり、実施例と同一構成部分には同一符号を付している。
【００３７】
異物侵入防止壁部８０は、水平方向壁９０の横断面形状が円弧状に形成されてなる。このため、水平方向壁９０は、高さ方向に幅Ｈを拡大させて管開口２１ｂの下部周辺領域を覆うようになっている。
【００３８】
この変形例３の電線収容チューブ保持部材４は、実施例の電線収容チューブ保持部材１と同様な効果を奏することができるとともに、下方から排水口１０に向けて飛び込んでくる異物が排水口１０に侵入することを効果的に防止することができる。
【００３９】
なお、本発明の実施例に係る電線収容チューブ保持部材１，２，３，４は、水平方向壁面４０，７０，９０が垂直方向に対して直角をなす方向に向けられるものを例示したが、これに限らず、水平方向壁面４０，７０，９０は下方からの跳ね上がった異物が下方突出排水管部２０，５０内に侵入されることを防止することができる程度に水平方向に向けられていればよい。
【００４０】
また、本発明の実施例に係る電線収容チューブ保持部材１，２，３，４は、合成樹脂材によって一体的に形成されてなるものを例示したが、電線収容チューブ１００，１００Ａ，１００Ｂへの取り付け性を考慮して、例えば上下に分割される構成であっても構わない。
【００４１】
また、本発明の実施例に係る電線収容チューブ保持部材１，２，３，４は、外周面に凹凸が形成されていない電線収容チューブ１００，１００Ａ，１００Ｂを保持するものを例示したが、これに限らず、例えば、蛇腹形状のように外周面に凹凸が形成されている電線収容チューブを保持するものであっても構わない。このように、電線収容チューブ保持部材が外周面に凹凸が形成されてされた電線収容チューブを保持する場合、鉤状ロック部１１が凹部に引っ掛かることによって、電線収容チューブ保持部材１，２，３，４が電線収容チューブをより確実に保持することができる。
【００４２】
以上、本発明者によってなされた発明を、上述した発明の実施例に基づき具体的に説明したが、本発明は、上述した発明の実施例に限定されるものではなく、その要旨を逸脱しない範囲において種々変更可能である。
【符号の説明】
【００４３】
１、２、３、４  電線収容チューブ保持部材
３ａ            支持固定部
１０            排水口
１１            鉤状ロック部
１２            嵌合面
１２ａ          大型チューブ嵌合面部
１２ｂ          小径チューブ嵌合面部
２０、５０      下方突出排水管部
２０ａ、５０ａ  先端部
２０ｂ          外周面下部
２１ａ、２１ｂ、５１ａ、５１ｂ  管開口
２２、５２      管孔
３０、６０、８０  異物侵入防止壁部
４０、７０、９０  水平方向壁
４０ａ、７０ａ、９０ａ  壁面
５０ｂ          外周面
１００，１００Ａ、１００Ｂ  電線収容チューブ
Ｗ              電線
Ｃ              合わせ目
Ｄ              管外径
【図１】
2014107960.tif 000003
【図２】
2014107960.tif 000004
【図３】
2014107960.tif 000005
【図４】
2014107960.tif 000006
【図５】
2014107960.tif 000007
【図６】
2014107960.tif 000008
【図７】
2014107960.tif 000009
【図８】
2014107960.tif 000010